(57)【要約】【課題】万が一ブレーキが故障した場合でもエレベータ戸が開いた状態でかごが走行することを防止するエレベータ戸開走行防止装置を提供する。【解決手段】エレベータ戸開走行防止装置は、エレベータの釣合錘（５）に固定されたソレノイド（２２）と、上記エレベータのかごが各階床に停止するときに停止する上記釣合錘に対応する位置のガイド（１３）に固定されたストッパ（２１）と、上記エレベータのかごが各階床に停止して戸開状態にあるとき信号を発信するとともに上記釣合錘に対応する位置のガイドに設けられる発信器（２６）と、上記発信器からの信号を受信するとともに上記かごに固定された受信器（２７）と、上記受信器が信号を受信したとき上記ソレノイドを駆動して上記ソレノイドのプランジャ（２３）を上記ストッパに係合することにより上記釣合錘が上下することを防止する駆動回路（２４）と、を備える。【選択図】図２
2009161290.tif 000002
【特許請求の範囲】
【請求項１】
エレベータの釣合錘に固定されたソレノイドと、
上記エレベータのかごが各階床に停止するときに停止する上記釣合錘に対応する位置のガイドに固定されたストッパと、
上記エレベータのかごが各階床に停止して戸開状態にあるとき信号を発信するとともに上記釣合錘に対応するガイドに設けられた発信器と、
上記発信器からの信号を受信するとともに上記釣合錘に固定された受信器と、
上記受信器が信号を受信したとき上記ソレノイドを駆動して上記ソレノイドのプランジャを上記ストッパに係合することにより上記釣合錘が上下することを防止する駆動回路と、
を備えることを特徴とするエレベータ戸開走行防止装置。
【請求項２】
上記駆動回路に電源を供給するバッテリーと、
上記ガイドに沿って走行するとき回転するローラと、
上記ローラの回転により発電して上記バッテリーに充電する発電機と、
を備えることを特徴とする請求項１に記載のエレベータ戸開走行防止装置。
【発明の詳細な説明】
【技術分野】
【０００１】
この発明は、エレベータ戸が開いているときかごが走行してしまうことを防止するエレベータ戸開走行防止装置に関するものである。
【背景技術】
【０００２】
エレベータのブレーキ装置は、エレベータの巻上モーターに連動して回転するブレーキドラムと、このブレーキドラムに接触して回転制動をかけるブレーキシューと、このブレーキシューとブレーキドラムとを押圧して接触させるブレーキバネと、エレベータの起動もしくは走行時にはこのブレーキバネの押圧力と対向する力を発生させるブレーキコイルと、ブレーキシューに加えられるブレーキドラムからの圧力を検出する圧力センサと、ブレーキコイルへの動作命令及び圧力センサからの検出結果の判断を行う制御盤とを備えた（例えば、特許文献１参照）。
【０００３】
【特許文献１】特開平０５−２１３５６７号公報
【発明の開示】
【発明が解決しようとする課題】
【０００４】
ところで現在のエレベータはマイクロコンピュータを採用したエレベータ制御盤でブレーキ装置をプログラム制御しているが、プログラムの不具合または半導体素子の劣化による短絡故障が発生すると、エレベータの戸が開いたまま走行する可能性がある。そして、エレベータの戸が開いたまま走行することは大変危険な状態であるので、ブレーキが故障しても戸が開いたまま走行することを防止することが必須である。
【０００５】
この発明の目的は、万が一ブレーキが故障した場合でもエレベータ戸が開いた状態でかごが走行することを防止するエレベータ戸開走行防止装置を提供することである。
【課題を解決するための手段】
【０００６】
この発明に係るエレベータ戸開走行防止装置は、エレベータの釣合錘に固定されたソレノイドと、上記エレベータのかごが各階床に停止するときに停止する上記釣合錘に対応する位置のガイドに固定されたストッパと、上記エレベータのかごが各階床に停止して戸開状態にあるとき信号を発信するとともに上記釣合錘に対応する位置のガイドに設けられた発信器と、上記発信器からの信号を受信するとともに上記釣合錘に固定された受信器と、上記受信器が信号を受信したとき上記ソレノイドを駆動して上記ソレノイドのプランジャを上記ストッパに係合することにより上記釣合錘が上下することを防止する駆動回路と、を備える。
【発明の効果】
【０００７】
この発明に係るエレベータ戸開走行防止装置の効果は、１次的にはかごの戸が確実に閉まっているとき以外ブレーキによりかごが停止されている場合ブレーキの異常が起こっても、かごの戸開信号に連動して釣合錘の移動がプランジャとストッパとの係合により制限されるので、２重にエレベータ戸開走行を防止することができることである。
【発明を実施するための最良の形態】
【０００８】
図１は、この発明に係るエレベータ戸開走行防止装置を配備したエレベータの概略図である。
この発明に係るエレベータは、一般的なものであり、エレベータ戸開走行防止装置に関係する部分のみ説明する。この発明に係るエレベータは、昇降路２内を上下するかご３を吊り下げるワイヤロープ４、ワイヤロープ４の他端にかご３の重さと釣合を取るためにぶら下げられた釣合錘５、掛けられたワイヤロープ４を走行するシーブ６、シーブ６を回転する電動機７、および、エレベータ全体を制御するエレベータ制御盤８を備える。
【０００９】
また、このエレベータでは、かご３の戸が開いているときにはかご３が走行しないように、かご３に設けられた戸閉まりスイッチ１１がかご３の戸が確実に閉まっていることを確認しているとき以外にはエレベータ制御盤８がシーブ６の回転を制止するようブレーキ１２を作動している。
また、釣合錘５は、昇降路２内に林立されたガイド１３に沿って上昇および下降する。
また、エレベータ制御盤８は、通常のエレベータの運行を制御しているときかご３の戸を開くように図示しない戸開閉装置に指令を出力する。
【００１０】
図２は、この発明に係るエレベータ戸開走行防止装置が配置された釣合錘５およびガイド１３を示す図である。
この発明に係るエレベータ戸開走行防止装置は、ガイド１３に設けられたストッパ２１、釣合錘５に固定されたソレノイド２２、受信電流が流れたり止まったりするとソレノイド２２を駆動してプランジャ２３を突き出したり引き込めたりする駆動回路２４、エレベータ制御盤８から戸開信号と戸閉信号とを受信して励磁電流を流したり止めたりする制御回路２５、制御回路２５から励磁電流が流される送信器２６、送信器２６に対向して配置されるとともに送信器２６に流される励磁電流により受信電流が誘起される受信器２７、駆動回路２４に電源を供給するバッテリー２８、および、ガイド１３上を走行するとローラ２９の回転により発電する発電機３０を備える。
【００１１】
ガイド１３には、かご３が各階床に停止したときに釣合錘５のソレノイド２２の突き出したプランジャ２３がガイド１３を貫通できるよう開口３１が空けられ、開口３１の上部および下部にストッパ２１がガイド１３に固定されている。
ソレノイド２２は、電流の向きを切り換えることによりプランジャ２３を突き出したり引き込めたりしてその状態でプランジャ２３の位置が保持される自己保持タイプである。そして、プランジャ２３が突き出るとガイド１３の開口３１を貫通する。もし、ブレーキ１２が利かなくなるなどの異常事態が発生したとき、プランジャ２３がストッパ２１に当たって止められるので釣合錘５が停止される。すると、ワイヤロープ４により釣合錘５に連結されているかご３も停止する。
【００１２】
制御回路２５は、図３に示すように、商用電源をエレベータ制御盤８からの戸開閉信号により励磁電流を流したり止めたりする。
送信器２６は、昇降路２の壁に配置され、制御回路２５に接続される励磁コイル３３と励磁コイル３３が巻かれたコア３４とから構成される。また、送信器２６は、かご３が各階床に停止したときに釣合錘５に固定された受信器２７が停止する位置に階床数分備えられている。
受信器２７は、釣合錘５の上に配置され、駆動回路２４に接続されるコイル３６とコイル３６が巻かれたコア３７から構成されている。受信器２７のコア３７が送信器２６のコア３４に近接しているときに励磁コイル３３に交流が流れるとコイル３６に交流が励起される。励起された電流は駆動回路２４に流れる。
【００１３】
駆動回路２４は、コイル３６からの電流が流れだすとソレノイド２２を正方向に励磁してプランジャ２３を突き出す。また、コイル３６からの電流が止まるとソレノイド２２を逆方向に励磁してプランジャ２３を引っ込める。
【００１４】
発電機３０は、ローラ２９の回転により図示しない可動子が回転することにより図示しない固定子の巻線に電力が生起する。この生起した電力をバッテリー２８に蓄電する。このように釣合錘５が上昇・下降するときに発電してバッテリー２８に蓄電しておくので、外部から電力を供給する必要がなく構成が簡略化できる。
【００１５】
次に、この発明に係るエレベータ戸開走行防止装置の動作について説明する。
かご３が走行中はエレベータ制御盤８からの戸開閉信号が戸閉になっているので、励磁コイル３３には電流が流れていない。
そして、かご３が目的の階床に到着するとエレベータ制御盤８からの戸開閉信号が図３（ａ）に示すように戸開に切り替わる。すると、制御回路２５から図３（ｂ）に示すような励磁電流が励磁コイル３３に流れる。励磁コイル３３に励磁電流が流れると受信器２７のコイル３６に図３（ｃ）に示すような電流が流れる。この電流は駆動回路２４に流れ込み、駆動回路２４は電流が流れ込むとソレノイド２２を正方向に励磁する。すると、ソレノイド２２のプランジャ２３が突き出て開口３１を貫通する。
【００１６】
もし、このようにプランジャ２３が突き出て開口３１を貫通しているときにブレーキが利かなくなるとかご３の乗車人員によりかご３が上昇または下降する。それに伴って釣合錘５も上下降または上昇するがプランジャ２３がストッパ２１に当たり釣合錘５の動きが止められる。すると、釣合錘５にワイヤロープ４を介して連結されているかご３の動きも止められる。
【００１７】
ブレーキが正常に利いているときに、乗客の乗降が完了するとエレベータ制御盤８からの戸開閉信号が戸閉に切り替わる。すると、励磁コイル３３に流れていた励磁電流が流れなくなり、受信器２７のコイル３６に流れていた電流も流れなくなる。そこで、駆動回路２４はソレノイド２２を逆方向に励磁し、ソレノイド２２のプランジャ２３を引っ込める。
【００１８】
この発明に係るエレベータ戸開走行防止装置は、１次的にはかご３の戸が確実に閉まっているとき以外ブレーキ１２によりかご３が停止されている場合ブレーキ１２の利きに異常が起こっても、かご３の戸開信号に連動して釣合錘５の移動がプランジャ２３とストッパ２１との係合により制限されるので、２重にエレベータ戸開走行を防止することができる。
また、エレベータ戸開走行防止装置を釣合錘５に配置して釣合錘５の移動を止めるので、巻上機のギヤ欠損やトラクションが低下したときでも自走を防ぐことができる。
また、エレベータ制御盤８と別の系統で釣合錘５の移動を止めるので、誤作動の恐れが少ない。
【００１９】
また、電磁結合する送信器２６と受信器２７とでプランジャ２３の出し入れを制御するための信号を送受するので、構造の簡単なエレベータ戸開走行装置を提供できる。
また、プランジャ２３を駆動するための電源をバッテリー２８から供給するが、釣合錘５の昇降に伴って回転するローラ２９の回転により発電する発電機３０からバッテリー２８を充電するので、釣合錘５の外部から電源を供給しなくても済み、構造の簡単なエレベータ戸開走行防止装置を提供することができる。
また、エレベータ戸開走行防止装置を釣合錘５に搭載し、その分釣合錘５を軽くするので、エレベータ全体としての重量に変化がない。
【００２０】
なお、釣合錘５の移動をプランジャ２３とストッパ２１との係合により止めるが、ガイドに接離するブレーキを用いて釣合錘５の移動を止めても良い。
【図面の簡単な説明】
【００２１】
【図１】この発明に係るエレベータ戸開走行防止装置を配備したエレベータの概略図である。
【図２】この発明に係るエレベータ戸開走行防止装置が配置された釣合錘およびガイドを示す図である。
【図３】ソレノイドのプランジャを出し入れするための信号を送受するタイミングチャートである。
【符号の説明】
【００２２】
２  昇降路、３  かご、４  ワイヤロープ、５  釣合錘、６  シーブ、７  電動機、８  エレベータ制御盤、１１  戸閉まりスイッチ、１２  ブレーキ、１３  ガイド、２１  ストッパ、２２  ソレノイド、２３  プランジャ、２４  駆動回路、２５  制御回路、２６  送信器、２７  受信器、２８  バッテリー、２９  ローラ、３０  発電機、３１  開口、３３  励磁コイル、３４、３７  コア、３６  コイル。
【図１】
2009161290.tif 000003
【図２】
2009161290.tif 000004
【図３】
2009161290.tif 000005